(57)【要約】【課題】  本発明は固体粉状物を水、湯、若しくはその他飲料の水性媒体で攪拌、溶解する際にこぼれることなく通常のコップと同等の機能を維持できる共に、簡単にコップ上縁の一部を切欠する事により、介護を必要とする高齢者若しくは身体障害者又は嚥下困難者が顎を上げることなく液状物を容易に飲む事ができる紙製コップを提供する。【解決手段】  コップの口部周縁の所定区間に、その上端からコップ壁へ、窪み形状、例えば略V字状、略U字状、略凵字状、又は略半円状の切欠線を施す。飲む直前にかかる窪み形状の切欠線によって切欠した部分に鼻を入れて液状物を飲むことによって、顎を上げなくとも紙製コップ内の液状物を全て飲み干す事ができる。【選択図】  図１
2005212887.tif 000002
【特許請求の範囲】
【請求項１】
コップの口部周縁の所定区間をその上端からコップ壁へ、窪み形状の切欠線を施してあることを特徴とする紙製コップ。
【請求項２】
前記窪み形状が、略V字状、略U字状、略凵字状、又は略半円状のいずれかの形状である請求項1記載の紙製コップ。
【発明の詳細な説明】
【技術分野】
【０００１】
本発明は紙製コップに関する。さらに詳しくは、例えば、紙製コップ内に固体粉状物を入れ、水、湯、若しくはその他飲料の水性媒体を加えて攪拌し分散させた液状物を、顎を上げて上を向くことなく紙製コップ内の全ての内容物を飲み干すことができる、特にとろみ飲料物に最適な紙製コップに関する。
【背景技術】
【０００２】
通常の紙製コップにより液状物を飲む場合、コップ内の内容物の量が多いときはコップを少し傾けるだけで内容物を口内に流し込むことができる。
【０００３】
しかしながらコップ内の内容物の量が少なくなってくると、コップの傾きを大きくしなければ内容物を口内に流し込むことができない。
そのためコップの内容物を全部飲み干すためにコップの傾きを大きくすると、コップ口部上縁が鼻柱にあたってしまい、それ以上はコップを傾けることができない。
【０００４】
そこで通常の紙製コップで内容物を全部飲み干すためには、顎を上げて上方を向くことでコップの傾きを大きくせざるを得なかった。
ところが、顎を上げた場合には気管が広がる体勢となるため、健常者であれば誤嚥を起こすことなく無理なく液状物を飲むことができても、高齢者・病人等の嚥下機能に障害をもつ人の場合、気管への誤燕を起こしてしまう可能性がある。
【０００５】
そこで従来から顎をあげることなく液状物を全て飲み干すことができるコップとして、図３に示す介護用コップが公知である。当該コップの上端の形状が、飲み口側を前面とすると後方にむかって下方に傾斜していること、及び前面の形状が前方にむかって傾斜していることにより、またはそのどちらか一方の形状から生じる効果により、コップを傾けても、コップ口部周縁の上端が鼻柱にあたることなく、尚且つ頭を動かすことなく容易にコップ内の内容物を飲むことができるように使用することが行なわれている。
【０００６】
【特許文献１】登録実用新案3004047号
【発明の開示】
【発明が解決しようとする課題】
【０００７】
しかしながら、前記介護用コップのように、上端の形状が飲み口側を前面とすると後方にむかって下方に傾斜していること、又は前面の形状が前方にむかって傾斜しているコップは、積み重ねに不適である。また、一般的な通常の紙製コップは内容物を全部飲み干すためにコップの傾きを大きくすると、先述のようにコップ口部周縁の上端が鼻柱にあたってしまい、それ以上はコップを傾けることができないという欠点がある。
【０００８】
そこで顎を上げることなく紙製コップの内容物を飲むことが可能となるよう、本願発明者は、内容物を飲むために紙製コップの口部周縁の上端が鼻柱に当る箇所を予め切欠しておき、当該紙製コップ内で固体粉状物に、水若しくはお湯を加えて攪拌し分散しようと試みた。しかしながら、予め切欠しておくと攪拌する際に内容物が紙製コップの切欠部からこぼれ易くなってしまうことから、本発明者はこの問題点を解消するために紙製コップを大きくすることにより紙製コップの攪拌による切欠部から流出防止を試みたが、紙製コップが大きいために、依然として飲む際にコップの傾きを大きくしなければ飲み干す事が出来なかった。
【０００９】
そしてこのことは特にとろみ飲料では、その性状が粘性を有した液状物で尚且つ流動性が小さいことから、内容物を飲み干すために、長い間顎を上げ続けてコップの傾きを大きくした状態を保つ必要があり、健常者であれば誤燕を起す事なく無事に内容物を飲む事ができるものの、体が自由に動かす事ができない高齢者若しくは身体障害者又は嚥下困難者は、顎を上げる事が困難であり、また気道への誤燕を誘発してしまう可能性がある。
【００１０】
そこで、本発明は、体が自由に動かすことができない高齢者若しくは身体障害者又は嚥下困難者でも容易に飲むことが出来る紙製コップを提供することを目的とする。
【課題を解決するための手段】
【００１１】
上記目的を達成するために、通常の紙製コップと同等の機能を確保しつつも紙製コップ内で固体粉状物を水、湯、若しくはその他飲料の水性媒体を加えて攪拌し分散した後に、当該紙製コップ口部上縁の所定区間を簡単に切り欠くことができれば、上記問題を解決できるのではないかと考え、顎を上げることなく内容物を飲むことができる構造を取り入れることにより、本発明を完成させた。
【００１２】
すなわち、本発明の第一の発明は、紙製コップの口部周縁の上端の所定区間をその上縁からコップ壁へ、窪み形状の切欠線を施してあることを特徴とする紙製コップである。第二の発明は前記窪み形状において、略V字状、略U字状、略凵字状、又は略半円状のいずれかの形状を有する紙製コップである。
【００１３】
ここで紙製コップとは、紙を主体としたコップをいい、コップの紙壁面の内側にポリエチレンをコーティングしたコップ、若しくは該壁面の内側と外側の両面にポリエチレンをコーティングし外側を発泡させたコップ等も含むものとする。また当該窪み形状の切欠線とは、例えば一定間隔ごとに形成されたミシン目、ハーフカット等によって引きちぎり可能にしてある線を施してある破断線をいう。
【００１４】
このような構成にすることにより、該紙製コップに内容物の素となる固体粉状物を入れ、水若しくはお湯を加えて、内容物を攪拌しても切欠線部からこぼれることはなく、その後に該窪み形状の切欠線を切欠し、紙製コップの上端切欠部とは反対側の口部周縁から紙製コップを直接口にして、切欠部によりコップの上縁が鼻柱が当ることなく紙製コップの内容物を飲むことができるのでよい。
【発明の効果】
【００１５】
従って紙製コップを置いてある状態から90度紙製コップを傾けてもコップ口部周縁の上端が鼻柱に当らずに、かつ顎を上げることなく内容物を飲めることができ、このことにより体を自由に動かす事ができない高齢者若しくは身体障害者又は嚥下困難者でも容易に飲むことが出来る紙製コップを提供することができる。
【発明を実施するための最良の形態】
【００１６】
以下、本発明を図面に示す実施の形態を参照して説明する。
【実施例】
【００１７】
図１は、切り欠く前の斜視図であり、図２は切り欠いた後の斜視図である。また、図３（イ）（ロ）（ハ）は従来の介護用コップの正面、側面、平面図である。
【００１８】
紙製コップ１の口部上縁の所定区間を、一方の上縁2からコップ壁3へ、更にコップ壁3から他方の上縁4へ窪み形状の切欠線5を施してある。かかる切欠線５は、そのままではコップの内容物がこぼれることのないように施す必要がある。本実施例ではコップの口部周縁の上端から垂直に２０〜４０mm程度下方に、尚且つ切幅は３０〜４０ｍｍ程度に略U字状の切欠線として設けられている。切欠線５は、ハーフカットによる破断線としてミシン目が施されている。なお、切欠線５の形状はこれに限らず略V字状、略凵字状、又は略半円状としてもよい。また、切欠線５は、一定間隔ごとに形成されたミシン目による破断線が切り欠きに際して都合がよい。なお、図中符号１は、切欠部を切り欠く前の紙製コップである。
【００１９】
次に本発明の実施例の作用について説明する。本発明の実施例は上記のように構成されるので、図１の紙製コップ１に内容物の素となる固体粉状物を入れ、水若しくはお湯を加えて内容物を攪拌した後に、上記切欠線を引きちぎることにより又は、一定間隔ごとに形成されたミシン目、ハーフカット等による破断線に爪等で切れ目を入れるように指で押圧し、そのまま切欠部を引き上げることにより、図2のような形状の切欠した紙製コップ６とする。かかる紙製コップの上端切欠部とは反対側の口部周縁から紙製コップを直接口にして、切欠部によりコップの上縁が鼻柱に当らないように紙製コップの内容物を最後まで口内に流し込む。
【００２０】
上述のように本発明の紙製コップは、固体粉状物を水、湯、若しくはその他飲料の水性媒体で攪拌、溶解し、尚且つ内容物を飲む直前に該コップの切欠線を切欠することにより、顎を上げることなく容易に容器の内容物を飲むことが出来る。従って体が自由に動かす事ができない高齢者若しくは身体障害者又は嚥下困難者でも容易に飲むことが出来る紙製コップを提供することができる。
【図面の簡単な説明】
【００２１】
【図１】紙製コップの切欠部を切り欠く前の紙製コップの斜視図である。
【図２】紙製コップの切欠部を切り欠いた後の紙製コップの斜視図である。
【図３】介護用コップの正面図（イ）、右側面図（ロ）、平面図（ハ）である。
【符号の説明】
【００２２】
１  本発明の一実施例を示す切欠部を切り欠く前の紙製コップ
２  一方の上端
３  コップ壁
４  他方の上端
５  切欠線
６  本発明の一実施例を示す切欠部を切り欠いた後の紙製コップ
【図１】
2005212887.tif 000003
【図２】
2005212887.tif 000004
【図３】
2005212887.tif 000005